(57)【要約】【課題】意匠的なインパクトを高めながらも、遊技者に与える圧迫感や閉塞感等を軽減することのできる遊技機を提供する。【解決手段】遊技者に面する前面側において遊技盤６の遊技領域６３を視認可能とする遊技領域視認窓８０ａを備える。遊技領域視認窓８０ａの周囲に前方へ向けて突出された装飾部１００，１１０，１２３が設けられる。装飾部１００，１１０，１２３により、立体的な装飾効果が得られるので、遊技機１の意匠的なインパクトを高めることができる。【選択図】　　　図２１
2004065923.tif 000002
【特許請求の範囲】
【請求項１】
遊技者に面する前面側において遊技盤の遊技領域を視認可能とする遊技領域視認窓を備え、その遊技領域視認窓の周囲に前方へ向けて突出された装飾部が設けられていることを特徴とする遊技機。
【発明の詳細な説明】
【０００１】
【発明の属する技術分野】
本発明は、パチンコ機、アレンジボール機、あるいは、パチンコ球を使用してスロットマシンと同様の遊技を行う遊技機等の遊技機に関する。
【０００２】
【従来の技術】
従来には、遊技者に面する前面側において遊技盤の遊技領域を視認可能とする遊技領域視認窓を備え、その遊技領域視認窓の周囲に前方へ向けて突出されかつ稜線部を備える複数の装飾部が設けられた遊技機がある（例えば、特許文献１，２参照）。
特許文献１の遊技機では、合同形又は相似形をなす複数の装飾部が、ほぼ円形の遊技領域の周囲にほぼ渦巻き状をなすように配置されている。その装飾部は、正面から見てほぼ三角形状をなす一山状の凸型をなしている。
また、特許文献２の遊技機では、左右一対をなす装飾部が、ほぼ円形の遊技領域の上部に左右対称状に配置されている。その装飾部は、正面から見てほぼ半円形状をなす一山状の凸型をなしている。左右一対の装飾部は、左右対称状につながっており、左右対称をなす規則的な波状を呈している。
【０００３】
【特許文献１】
特開２００１−２３２０１０号公報（第３−３０頁、図１，図１２，図１３参照）
【特許文献２】
特開２００１−５８０２９号公報（第３−５頁、図１，図３参照）
【０００４】
【発明が解決しようとする課題】
前記した特許文献１、２では、前方へ突出された複数の装飾部によって、立体的な装飾効果を得ることにより、遊技機の意匠的なインパクトが高められている。しかしながら、複数の装飾部が、それぞれ一山状の凸型であり、かつ互いに稜線部が規則的な合同形又は相似形あるいは左右対称状をなす類似した関係をなす形状に形成されている。このため、遊技機の前面側に面する遊技者（単に、遊技者という）が、特許文献２にあっては遊技領域内に向かって引き込まれるような閉塞感を感じ、また、特許文献１にあっては押さえつけられるような圧迫感を感じることがある。このように、特許文献１、２の遊技機では、遊技者に閉塞感や圧迫感等を与えてしまうことにより、遊技者の遊技に対する興趣を低下させるおそれがあった。
【０００５】
本発明が解決しようとする課題は、意匠的なインパクトを高めながらも、遊技者に与える圧迫感や閉塞感等を軽減することのできる遊技機を提供することにある。
【０００６】
【課題を解決するための手段】
前記した課題を解決するために、本発明の手段１にかかる遊技機は、
「遊技者に面する前面側において遊技盤の遊技領域を視認可能とする遊技領域視認窓を備え、その遊技領域視認窓の周囲に前方へ向けて突出されかつ稜線部を備えた複数の装飾部が設けられている遊技機であって、
前記複数の装飾部は、それぞれその稜線部が突出高さ方向及び幅方向のうち少なくとも一方向に関して波状で、かつ互いに非類似の形状に形成されていることを特徴とする遊技機。」
を構成の要旨とするものである。
このように構成すると、遊技者に面する前面側における遊技領域視認窓の周囲に、前方へ突出された複数の装飾部が設けられることによって、立体的な装飾効果が得られる。このため、遊技機の意匠的なインパクトを高めることができる。
さらに、複数の装飾部は、それぞれその稜線部が突出高さ方向及び幅方向のうち少なくとも一方向に関して波状で、かつ互いに非類似の形状に形成されている。ここで、「突出高さ方向に関して波状」とは、稜線部の突出方向の高さが長さ方向に連続した波状に変化すなわち起伏する形状のことをいう。また、「幅方向に関して波状」とは、稜線部の幅方向（突出高さ方向に交差する方向）のずれ幅が長さ方向に連続した波状に変化すなわちうねる形状のことをいう。また、「非類似」とは、合同形でなく、相似形でもなく、さらには左右対称状でも点対称状でもない関係のことをいう。
したがって、複数の装飾部の稜線部が、それぞれ突出高さ方向の高低又は／及び幅方向のずれ幅の変化した経路で、かつ互いに非類似の形態を呈することにより、遊技者に与える圧迫感や閉塞感等を軽減することができる。よって、遊技者は、快適にかつ継続的に遊技を楽しむことができる。
【０００７】
また、本発明の手段２にかかる遊技機は、
「遊技者に面する前面側において遊技盤の遊技領域を視認可能とする遊技領域視認窓を備え、その遊技領域視認窓を間にする左右両側部において前方へ向けて突出されかつ縦方向に延びる稜線部を備えた左側の装飾部及び右側の装飾部が設けられている遊技機であって、
前記左側の装飾部及び前記右側の装飾部は、それぞれその稜線部が突出高さ方向及び幅方向のうち少なくとも一方向に関して波状で、かつ互いに左右非対称の形状に形成されていることを特徴とする遊技機。」
を構成の要旨とするものである。
このように構成すると、遊技者に面する前面側における遊技領域視認窓の左右両側部に、前方へ突出された左側の装飾部及び右側の装飾部が設けられることによって、立体的な装飾効果が得られる。このため、遊技機の意匠的なインパクトを高めることができる。
さらに、左側の装飾部及び右側の装飾部は、それぞれその縦方向に延びる稜線部が突出高さ方向及び幅方向のうち少なくとも一方向に関して波状で、かつ互いに左右非対称の形状に形成されている。ここで、「突出高さ方向に関して波状」とは、稜線部の突出方向の高さが長さ方向（縦方向）に連続した波状に変化すなわち起伏する形状のことをいう。また、「幅方向に関して波状」とは、稜線部の幅方向（突出高さ方向に交差する方向すなわち左右方向）のずれ幅が長さ方向に連続した波状に変化すなわちうねる形状のことをいう。また、「左右非対称」とは、左右対称状でないことはもちろんのこと、合同形でなく、相似形でもなく、さらには点対称状でもない関係のことをいう。
したがって、左側の装飾部及び右側の装飾部の稜線部が、それぞれ突出高さ方向の高低又は／及び幅方向（左右方向）のずれ幅の変化した経路で、かつ互いに非類似の形態を呈することにより、遊技者に与える圧迫感や閉塞感等を軽減することができる。よって、遊技者は、快適にかつ継続的に遊技を楽しむことができる。
また、前記左側の装飾部及び前記右側の装飾部によれば、遊技者の横方向（左右方向）に関する視認角度の変化に応じて、フォルムが大きく変化した印象を与えることができる。
【０００８】
また、本発明の手段３にかかる遊技機は、
「複数の遊技機を左右に並べたときに、左側の遊技機における右側の装飾部の稜線部と、右側の遊技機における左側の装飾部の稜線部とが、互いに連続状をなすように形成されていることを特徴とする請求項２に記載の遊技機。」
を構成の要旨とするものである。
このように構成すると、複数の遊技機を左右に並べたホール等において、左右に隣り合う遊技機のうち左側の遊技機における右側の装飾部の稜線部と、右側の遊技機における左側の装飾部の稜線部とが、互いに連続状をなすことになる。したがって、左右に隣り合う遊技機が互いに関係付けられた意匠をもって連続されることにより、従来に比べ、斬新で特異な景観を呈することができる。
【０００９】
また、本発明の手段４にかかる遊技機は、
「前記複数の装飾部のうち少なくとも１つの装飾部は、内部光源から発せられる光によって発光されるレンズ部材を含んで形成されていることを特徴とする請求項１〜３のいずれか１つに記載の遊技機。」
を構成の要旨とするものである。
このように構成すると、複数の装飾部のうち少なくとも１つの装飾部に含まれるレンズ部材が、内部光源から発せられる光によって発光される。これにより、レンズ部材を含んで形成された装飾部の装飾性を向上することができる。なお、「レンズ部材を含んで形成される装飾部」には、レンズ部材を部分的に設けた装飾部、あるいは、レンズ部材自体によって形成された装飾部が相当する。
【００１０】
また、本発明の手段５にかかる遊技機は、
「前記複数の装飾部のうち少なくとも１つの装飾部は、当該装飾部の主体をなす非透光性材料により形成されたベース部材と、当該装飾部の稜線部を含んで形成されかつ内部光源から発せられる光によって発光されるレンズ部材とを備えていることを特徴とする請求項１〜３のいずれか１つに記載の遊技機。」
を構成の要旨とするものである。
このように構成すると、複数の装飾部のうち少なくとも１つの装飾部のベース部材が非透光性材料によって形成されているため、該ベース部材がホール内の照明、外光等の外部照明によって照らし出される。したがって、当該装飾部に対する視認角度の変化に応じて、外部照明によるベース部材の照明具合が変化することを利用して、遊技者やホール往来者に前記ベース部材のフォルムが大きく変化した印象を与えることができる。さらに、非透光性材料により形成されたベース部材の稜線部の付近においては、その稜線部を含むレンズ部材が内部光源から発せられる光によって発光される。これにより、レンズ部材を備えた装飾部の装飾性を向上するとともに、その装飾部の稜線部を際立たせることができる。
【００１１】
また、本発明の手段６にかかる遊技機は、
「前記レンズ部材は、当該装飾部の稜線部に沿って延びかつ長さ方向に関して複数に分割されていることを特徴とする請求項５に記載の遊技機。」
を構成の要旨とするものである。
このように構成すると、レンズ部材が長尺状をなす一連の一体成形品とされる場合に比べて、分割されたレンズ部材の強度や成形性を向上することができる。
【００１２】
【発明の実施の形態】
本発明の一実施の形態を図面にしたがって説明する。一実施の形態は、遊技機の一つであるパチンコ機に本発明を適用したものを例示する。まず、パチンコ機の基本的な構成について述べる。また、説明の都合上、パチンコ機の遊技者に面する側を前面側、その反対側を後面側と称し、図面の方位を各図に矢印で示すとおりに定める。図１に示すように、パチンコ機１は、外枠体１０と内枠体２０と開閉扉８０とを備えている。外枠体１０は、図３に示すように、例えば、木製の左右上下の各枠材１１，１２，１３，１４をほぼ矩形枠状に枠組みして形成されている。左右の枠材１１，１２の下端部における前面側の相互間には下受板１５が架設されている。
【００１３】
前記内枠体２０は、図１２及び図１３に示すように、例えば樹脂製で、ほぼ四角形額縁状に形成されている。図３に示すように、前記外枠体１０の左側部に対し、内枠体２０の左側部が内枠体用ヒンジ機構１８を介して回動可能に支持されることにより、外枠体１０の前面側に内枠体２０が開閉可能に設けられている。また、図１に示すように、内枠体２０には、遊技盤装着枠部２１が一体形成されている。遊技盤装着枠部２１は、遊技盤６を後方から着脱可能に嵌め込んだ状態で支持している。遊技盤装着枠部２１の構成については後ほど詳述する。
【００１４】
図３に示すように、前記内枠体２０の後面側には、機構盤３０が設けられている。機構盤３０は、例えば樹脂製で、図１７に示すように、ほぼ四角形額縁状に形成されている。図６に示すように、機構盤３０の後面側には、その上部から下部に向けて球タンク３２、球誘導樋３４、球払出装置３６等が配設されている。前記内枠体２０の左側部に対し、機構盤３０の左側部が機構盤用ヒンジ機構（符号省略）を介して回動可能に支持されることにより、内枠体２０の後面側に機構盤３０が開閉可能に設けられている。
【００１５】
図６に示すように、前記内枠体２０の後面側には、前記機構盤３０を閉じ状態に保持するための複数（例えば４個）の締付具２９が配設されている。内枠体２０に機構盤３０を閉じた状態で、締付具２９が締付けられることにより、内枠体２０に対して機構盤３０が閉じ状態に保持される（図３参照）。これとともに、内枠体２０の遊技盤装着枠部２１に嵌め込まれた遊技盤６が固定状態に保持される（図１参照）。また、内枠体２０に対する締付具２９の締付けを緩めて解放することにより機構盤３０を開くことができ、それによって遊技盤装着枠部２１に対して遊技盤６を脱着することができる。なお、図３及び図６では遊技盤６が省略されている。
【００１６】
前記内枠体２０の後面側の右下部（図１４において左下部）には、球発射装置４０が配設されている。球発射装置４０は、球発射モータ４１と、その球発射モータ４１によって駆動される球発射ハンマー４２と備えている。また、内枠体２０の右下部には、図１２及び図１３に示すように、開口孔２０ａが形成されている。開口孔２０ａ内には、前記球発射装置４０の操作軸４０ａが挿入されている。なお、操作軸４０ａには、ハンドルレバー４８の作動軸４７（図３０参照、後述する）が係合によって連結されている。ハンドルレバー４８を介して、操作軸４０ａの回動によって球発射モータ４１がコントロールされる。
【００１７】
前記内枠体２０の後面側には、図６に示すように、前記球発射モータ４１の左側（図６において右側）に位置する発射制御基板ボックス５０が配置されている。発射制御基板ボックス５０内には、球発射モータ４１の制御にかかる発射制御基板（図示省略）が収納されている。また、図１３に示すように、内枠体２０の右上隅角部には、スピーカ取付孔２３ａを有するスピーカ取付用枠部２３が形成されている。スピーカ取付孔２３ａ内には、スピーカ５６が配置されている（図９参照）。図１３に示すように、スピーカ取付用枠部２３の左下隅角部は、遊技盤装着枠部２１の右上隅角部に、はみ出している。
【００１８】
図６に示すように、前記機構盤３０の後面側には、前記球発射モータ４１及び前記発射制御基板ボックス５０の上方近く位置する電源基板ボックス５１が配置されている。電源基板ボックス５１内には、電源基板（図示省略）が収納されている。さらに、図３に示すように、電源基板ボックス５１の後面側には、サブ基板ボックス５２が配置されている。サブ基板ボックス５２内には、サブ制御基板（図示省略）が収納されている。なお、サブ制御基板は、前記スピーカ５６（図９参照）、開閉扉８０の発光装飾装置の各ランプ（後述する）、操作ハンドル４４のバイブレータ（後述する）及び操作ユニット１４０（図４参照）等の制御にかかる制御基板である。
【００１９】
前記機構盤３０の後面側の左上部（図６において右上部）には、左右の中継基板５３，５４が配置されている。中継基板５３，５４には、前記サブ制御基板（図示省略）、前記スピーカ５６（図９参照）、カード式球貸機２００（図３２参照）、開閉扉８０の発光装飾装置の各ランプ（後述する）等が電気的に接続されている。
【００２０】
前記機構盤３０の後面側の上端部には、一対の中継基板５３，５４の左隣り（図６において右隣り）に位置するインターフェース制御基板ボックス５５が配置されている。インターフェース制御基板ボックス５５内には、球貸機２００（図３２参照）の制御にかかるインターフェース制御基板（図示省略）が収納されている。また、機構盤３０の後面側の上端部にインターフェース制御基板ボックス５５が配置されている。このため、その制御基板ボックス５５のコネクタ５５ａがホール作業者等の目につきやすく、そのコネクタ５５ａに対する球貸機２００の電気的接続作業を容易に行うことができる。
【００２１】
図１８及び図１９に示すように、前記遊技盤６は、ほぼ四角形板状に形成されたベース板６０を主体として形成されており、その前面が遊技盤面（符号省略）となっている。ベース板６０は、例えばベニヤ製であるが、その他の木製あるいは樹脂製であってもよく、その材質は限定されない。
ベース板６０の前面には、区画壁６１が形成されかつ左右の囲繞部材６８，６９が装着されている。区画壁６１は、左側レール部６１Ａと右側レール部６１Ｂと内側レール部６１Ｃとを備えている。左側レール部６１Ａ及び内側レール部６１Ｃは、例えば金属製のレール材で、所定のレール幅を有する帯板材をほぼ半円状に曲げて形成されている。左側レール部６１Ａの下部は、右下方に向けてなだらかに広がるように形成されている。また、内外に重複する左側レール部６１Ａと内側レール部６１Ｃの重複部分は、相互にほぼ平行をなすように形成されている。また、右側レール部６１Ｂは、右側の囲繞部材６９（後述する）のほぼ円弧状の凹形内側壁によって形成されている。　上記した各レール部６１Ａ，６１Ｂ，６１Ｃの協働によって、ほぼ渦巻き状の区画壁６１が構成されている。また、区画壁６１によって、ベース板６０の前面すなわち遊技盤面上にほぼ円形状の遊技領域６３が区画されている。これとともに、左側レール部６１Ａと内側レール部６１Ｃとの間には、前記球発射装置４０の球発射ハンマー４２（図１４参照）によって発射されるパチンコ球Ｂを遊技領域６３内に誘導する球案内路６４が形成されている。
また、ベース板６０の下端部には、内側レール部６１Ｃの下端部に位置するアウト口６０ｂが形成されている。
【００２２】
前記各囲繞部材６８，６９は、例えば樹脂製で、図１８に示すように、前記区画壁６１の左右両側に配置されており、該区画壁６１の外側面に倣う凹形内側壁を有する板状に形成されている。各囲繞部材６８，６９は、前記区画壁６１のレール幅（図１８において紙面表裏方向に関する幅）とほぼ等しい高さｈ（図１９参照）でベース板６０の前面上に突設されている。なお、高さｈは、ベース板６０の遊技盤面（前面）上に突出する突出高さに相当する。また、各囲繞部材６８，６９は、本明細書でいう「囲繞部」に相当する。
【００２３】
前記ベース板６０の遊技領域６３内には、図示はしないが、各種の入賞装置、役物装置、図柄表示装置、アタッカ装置、ゲート口、風車器、誘導釘等が配設されている。また、前記ベース板６０の後面側には、前記各種の入賞装置、役物装置、図柄表示装置、アタッカ装置等を電気的に制御する制御基板を収納した制御ボックス装置６６（図１９参照）が装着されている。上記した遊技盤６を前記内枠体２０の遊技盤装着枠部２１（図１参照）に装着する遊技盤６の装着構造については、後ほど詳述する。なお、上記したベース板６０を主体として、左側レール部６１Ａ、内側レール部６１Ｃ、制御ボックス装置６６、各囲繞部材６８，６９、各種の入賞装置、役物装置、図柄表示装置、アタッカ装置、ゲート口、風車器、誘導釘等が装着されることによって、遊技盤６が構成されている。
【００２４】
図１及び図４に示すように、前記内枠体２０の前面側における下端部には、下前板部材５８が設けられている。下前板部材５８の前面側には、下皿５９が設けられている。下前板部材５８の右端部には、前記球発射装置４０の操作ハンドル４４が配置されている（図３参照）。操作ハンドル４４の構成については後ほど詳述する。
【００２５】
前記内枠体２０の前面側において、前記下前板部材５８の上側には上皿部材７０が配置されている。上皿部材７０は、例えば樹脂製で、ほぼ横長状に形成されており、その前面側に上皿７１が設けられている。図２に示すように、前記内枠体２０の左側部に対して上皿部材７０の左側部が上皿部材用ヒンジ機構（符号省略）を介して回動可能に支持されることにより、内枠体２０の前面側に上皿部材７０が開閉可能に設けられている。また、上皿部材７０における右側部の後面側には、内枠体２０に対して該上皿部材７０を閉じた状態に保持するための上皿部材用施錠金具７２が施錠及び解錠可能に配置されている。
【００２６】
次に、開閉扉８０を説明する。図４に示すように、開閉扉８０には、前記遊技盤６の遊技領域６３（図１８参照）にほぼ対応する遊技領域視認窓８０ａが形成されている。遊技領域視認窓８０ａは、遊技盤６の遊技領域６３を視認可能とするもので、斬新で特異な輪郭形状９６（後述する）に形成されている。
【００２７】
図１に示すように、前記開閉扉８０は、扉本体８２と、その扉本体８２の前面側を装飾する扉装飾体９０とを備えている。扉本体８２は例えば金属製で、その後面側には金属製の透視板装着枠８３が配設されている。図２２〜図２４に示すように、透視板装着枠８３は、遊技領域視認窓８０ａを取り囲むようにほぼ矩形状に枠組みされている。透視板装着枠８３には、ほぼ四角形板状をなす内外２枚の透視可能なガラス板あるいは樹脂板等からなる前後２枚の透視板８４が相互に所定間隔を隔てた状態で装着されている。
【００２８】
図１に示すように、前記内枠体２０の左側部に対して扉本体８２の左側部が開閉扉用ヒンジ機構（図示省略）を介して回動可能に支持されることにより、内枠体２０の前面側に開閉扉８０が開閉可能に設けられている。また、内枠体２０に開閉扉８０が閉じられることによって、パチンコ機１の前面側に面する遊技者は、両透視板８４を透して遊技盤６の遊技領域６３を視認することができる（図７〜図１１参照）。なお、図７〜図１１の各図において、外枠体１０（図１参照）が省略されている。
【００２９】
図２２〜図２４に示すように、前記扉装飾体９０は、例えば樹脂製で、扉本体８２の前面側に対し、該扉本体８２の前記遊技領域視認窓８０ａの周囲を取り囲むように形成されている。扉装飾体９０は発光装飾装置（後述する）を備え、その扉装飾体９０の前面にはレリーフ調の凹凸による装飾が施されている（図２０及び図２１参照）。なお、扉装飾体９０に関する構成については後ほど詳述する。
【００３０】
図３に示すように、前記内枠体２０の右側部には、施錠装置７５が装着されている。施錠装置７５は、上下の施錠フック７６ａを有する内枠体用施錠板７６と、上下の施錠フック７８ａ（図１参照）を有する開閉扉用施錠板７８（図１４参照）とを備えている。各施錠板７６，７８は、それぞれ内枠体２０に対して上下方向にスライド可能に備えている。内枠体用施錠板７６は、ばね７７（図１４参照）により常には上方へ付勢されている。また、開閉扉用施錠板７８は、ばね（図示省略）により常には下方へ付勢されている。
【００３１】
図３に示す状態から、前記外枠体１０に対して前記内枠体２０が閉じられたときには、該外枠体１０に固定されている上下の各係合部１６（図３参照）に対し、前記内枠体用施錠板７６の各施錠フック７６ａが係合する。これにより、外枠体１０に対して内枠体２０が閉じた状態に施錠される。また、この状態において、前記下前板部材５８の右側部の上端部に配設された鍵穴５８ａ（図４参照）に鍵（図示省略）を挿入し、その鍵を一方向に回動操作する。これにより、前記内枠体用施錠板７６が下方へスライドされて、前記外枠体１０の各係合部１６に対する前記各施錠フック７６ａの係合が解除すなわち解錠される。
【００３２】
また、図１に示す状態から、内枠体２０に対して開閉扉８０が閉じられたときには、該開閉扉８０の扉本体８２に設けられている上下の各係合部８５に対し、開閉扉用施錠板７８（図１４参照）の各施錠フック７８ａが係合することによって、内枠体２０に対して開閉扉８０が閉じた状態に施錠される。また、この状態において、前記下前板部材５８の鍵穴５８ａ（図４参照）に対して前記鍵を挿入し、その鍵を前記とは反対方向に回動操作する。これにより、前記開閉扉用施錠板７８が上方へスライドされて、前記扉本体８２の各係合部８５に対する前記各施錠用フック７８ａの係合が解除すなわち解錠される。
【００３３】
次に、前記遊技盤６の構成を詳述する。図１８に示すように、ほぼ四角形板状に形成された前記ベース板６０の前面には、前に述べたように区画壁６１が形成されかつ左右の囲繞部材６８，６９が装着されている。ベース板６０の下端部には、前記上皿７１（図１参照）上への賞球の払出通路を形成のための開口凹部６０ｃが形成されている。
また、ベース板６０の右上隅角部には、スピーカ用凹部６０ｄが切欠き状に形成されている。スピーカ用凹部６０ｄは、前記内枠体２０のスピーカ取付用枠部２３を嵌合可能に形成されている（図２参照）。
また、図１８に示すように、ベース板６０の左上隅角部には、配線用凹部６０ｅが切欠き状に形成されている。配線用凹部６０ｅは、前記内枠体２０の配線用枠部２２（後述する）を嵌合可能に形成されている（図２参照）。
【００３４】
前記ベース板６０の上側縁部６０ａ１及び下側縁部６０ａ２の前面は両囲繞部材６８，６９で覆われておらず、その両側縁部６０ａ１，６０ａ２が露出された状態となっている。ベース板６０の下側縁部６０ａ２の前面には、係止端部６５ａを有する左右のロックレバー６５が、それぞれ軸６５ｂにより回動可能に設けられている。両ロックレバー６５は、回動させることによって、係止端部６５ａがベース板６０上に格納される格納位置（図１８中、二点鎖線６５ａ参照）と、その係止端部６５ａがベース板６０の下方へ突出するストッパ位置（図１８中、実線６５ａ参照）との二位置に切り替え可能になっている。
【００３５】
前記左側の囲繞部材６８の左側面には、上下の切欠き凹部６８ａが形成されている。上下の切欠き凹部６８ａは、前記区画壁６１の左側端部に近接する側縁部分（左側の囲繞部材６８の側縁部分６８ｂが相当する）を間にして上下に配置されている。その上下の切欠き凹部６８ａの形成によって、前記ベース板６０の左側縁部６０ａ３の当該側縁部分が前面に露出されている。
また、前記右側の囲繞部材６９の右側面には、左側の囲繞部材６８の上下の切欠き凹部６８ａと左右対称状をなす上下の切欠き凹部６９ａが形成されている（図１９参照）。上下の切欠き凹部６９ａは、前記区画壁６１の右側端部に近接する側縁部分（右側の囲繞部材６９の側縁部分６９ｂが相当する）を間にして上下に配置されている。その上下の切欠き凹部６９ａの形成によって、前記ベース板６０の右側縁部６０ａ４の当該側縁部分が前面に露出された状態となっている。なお、各囲繞部材６８，６９の切欠き凹部６８ａ，６９ａは、本明細書でいう「受入凹部」に相当する。また、切欠き凹部６８ａ，６９ａの形成によって露出されたベース板６０の左側縁部６０ａ３及び右側縁部６０ａ４の前面は、本明細書でいう「規制面」に相当する。
【００３６】
次に、前記内枠体２０の遊技盤装着枠部２１の構成を詳述する。図１２〜図１４に示すように、遊技盤装着枠部２１の左上隅角部には、配線挿通孔２２ａを形成する配線用枠部２２がはみ出して形成されている。配線挿通孔２２ａには、前記開閉扉８０（図１参照）の発光装飾装置の各ランプ（後述する）、及び、操作ユニット１４０（図４参照）等にかかる配線Ｗ（図１参照）が挿通される。
また、前にも述べたように、遊技盤装着枠部２１の右上隅角部には，スピーカ取付孔２３ａを有するスピーカ取付用枠部２３がはみ出して形成されている（図１２〜図１４参照）。
また、図１２〜図１４に示すように、遊技盤装着枠部２１の下端部の中央部分には、前記ベース板６０のアウト口６０ｂ（図１８参照）に対応する凹溝部２０ｂが形成されている。
上記した遊技盤装着枠部２１に対し、前記遊技盤６（図１８参照）がその後方から着脱可能に嵌め込めるようになっている。
【００３７】
図１２〜図１４に示すように、前記遊技盤装着枠部２１には、その後方から嵌め込まれる前記遊技盤６のベース板６０（図７〜図１１参照）に当接して該遊技盤６の前方への移動を規制する各係止部２４，２５，２７，２８が次のように設けられている。
詳しくは、図１４及び図１５に示すように、遊技盤装着枠部２１の上縁部には、遊技盤６の露出されたベース板６０の上側縁部６０ａ１の前面に対して面接触状に当接可能な上側係止部２４が枠内に向けて突出されている。
また、図１４に示すように、遊技盤装着枠部２１の下縁部には、遊技盤６の露出されたベース板６０の下側縁部６０ａ２（図１８参照）の前面に対して面接触状に当接可能な下側係止部２５が枠内に向けて突出されている。下側係止部２５には、左右の開口孔２６ａが形成されている。各開口孔２６ａは、ベース板６０の格納位置にある前記ロックレバー６５（図１８中、二点鎖線６５ａ参照）を挿通可能に形成されている。
【００３８】
さらに、図１４に示すように、前記遊技盤装着枠部２１の左側縁部（図１４において右側縁部）には、上下の左側係止部２７が枠内に向けて部分的に突出されている（図１２参照）。各左側係止部２７は、前記遊技盤６（図１８参照）の左側の囲繞部材６８における各切欠き凹部６８ａに対し、相対的に嵌合可能でかつ該切欠き凹部６８ａにより露出されたベース板６０の左側縁部６０ａ３の前面に対して面接触状に当接可能に形成されている。すなわち、左側係止部２７は、前記区画壁６１（図１８参照）の左側端部に近接する遊技盤６の左側縁部分（左側の囲繞部材６８の側縁部分６８ｂが相当する）を除いた上方及び下方の左側縁部分に対応する位置関係をなすように設けられている。
【００３９】
また、図１４に示すように、前記遊技盤装着枠部２１の右側縁部（図１４において左側縁部）には、上下の右側係止部２８が枠内に向けて部分的に突出されている（図１６参照）。各右側係止部２８は、前記遊技盤６（図１８参照）の右側の囲繞部材６９における各切欠き凹部６９ａに対し、相対的に嵌合可能でかつ該切欠き凹部６９ａにより露出されたベース板６０の右側縁部６０ａ４の前面に対して面接触状に当接可能に形成されている。すなわち、右側係止部２８は、前記区画壁６１（図１８参照）の右側端部に近接する遊技盤６の右側縁部分（右側の囲繞部材６９の側縁部分６９ｂが相当する）を除いた上方及び下方の右側縁部分に対応する位置関係をなすように設けられている。
なお、遊技盤装着枠部２１の各係止部２４，２５，２７，２８の前後方向の大きさは、遊技盤６の各囲繞部材６８，６９の高さｈ（図１９参照）とほぼ等しい大きさで形成されている。
【００４０】
次に、前記内枠体２０の遊技盤装着枠部２１に対する前記遊技盤６の装着構造を詳述する。内枠体２０に対して機構盤３０が開かれた状態において、該内枠体２０の遊技盤装着枠部２１に後方から遊技盤６を嵌め込む（図７〜図１１参照）。このとき、遊技盤６のロックレバー６５は格納位置にあるものとする（図１８中、二点鎖線６５ａ参照）。なお、このままの状態で、遊技盤装着枠部２１から遊技盤６を後方へ抜き外すことができる。
【００４１】
上記したように、内枠体２０の遊技盤装着枠部２１に対して遊技盤６が嵌め込まれる。すると、遊技盤装着枠部２１の上側係止部２４に対してベース板６０の上側縁部６０ａ１が当接されるとともに、該遊技盤装着枠部２１の下側係止部２５に対してベース板６０の下側縁部６０ａ２の前面が当接される（図７、図８、図９参照）。また、遊技盤装着枠部２１の左側係止部２７に対し、遊技盤６の左側の囲繞部材６８の各切欠き凹部６８ａが嵌合されかつベース板６０の左側縁部６０ａ３が当接される（図１１参照）。これとともに、遊技盤装着枠部２１の右側係止部２８に対し、遊技盤６の右側の囲繞部材６９の各切欠き凹部６９ａが嵌合されかつベース板６０の右側縁部６０ａ４が当接される（図１１参照）。したがって、遊技盤装着枠部２１の各係止部２４，２５，２７，２８によって、ベース板６０の前方への移動が規制され、ひいては遊技盤６の前方への移動が規制されることになる。
【００４２】
続いて、前記遊技盤６のロックレバー６５をロック位置に回動させることにより、遊技盤装着枠部２１における各開口孔２６ａの口縁部の前面に対し、該ロックレバー６５の係止端部６５ａが面接触状に係合される（図２参照）。なお、遊技盤６を取外す際には、ロックレバー６５を格納位置（図１８中、二点鎖線６５ａ参照）に切り替えればよい。
その後、前記内枠体２０に前記機構盤３０を閉じた状態で、締付具２９（図６参照）が締付けられることによって、該機構盤３０が閉じ状態に保持されるとともに、ベース板６０が遊技盤装着枠部２１の各係止部２４，２５，２７，２８に押付けられて固定されることによって、遊技盤６が固定状態に保持される（図７〜図１１参照）。
【００４３】
上記したパチンコ機１によると、遊技盤６の前面における左側縁部及び右側縁部に対応する遊技盤装着枠部２１の上下の各係止部２７，２８が、区画壁６１の当該側端部に近接する遊技盤６の側縁部分（左右の囲繞部材６８，６９の側縁部分６８ｂ，６９ｂ（図１８参照）が相当する）を除いた上方及び下方の側縁部分に対応する位置関係をなすように設けられている（図１２〜図１４参照）。このため、従来では小さい外形（図１８に二点鎖線６１Ｘ）にせざるを得なかった区画壁６１の外形（外径）を、図１８に実線６１で示すように拡大することができ、ひいては遊技領域６３を拡大することが可能となる。また、これとともに、パチンコ機１の横幅の拡大や、遊技盤６（詳しくはベース板６０）の歪みの発生等の不具合も回避することができる。
【００４４】
また、遊技盤６の遊技領域６３外で区画壁６１を取り囲む左右の囲繞部材６８，６９に設けられた受入凹部である切欠き凹部６８ａ，６９ａに左右それぞれの上下の各係止部２７，２８が受入れられ、該係止部２７，２８とベース板６０の左側縁部６０ａ３及び右側縁部６０ａ４の前面とが当接し合う。これによって、左右の囲繞部材６８，６９が突設された遊技盤６において凹凸嵌合による簡単な構造で遊技盤６の前方への移動を確実に規制することができる。また、両囲繞部材６８，６９に各係止部２７，２８を直接的に当接させる場合に予測される両囲繞部材６８，６９の前面側の撓みや割れ等の不具合の発生を防止あるいは低減することができる。
【００４５】
また、前記遊技盤６の左上隅角部すなわちベース板６０の左上隅角部には、前記内枠体２０の遊技盤装着枠部２１に形成される配線用枠部２２を回避するための配線用凹部６０ｅが切欠き状に形成されている（図１参照）。このため、機構盤３０の左上部に設けられた中継基板５３，５４（図６参照）から開閉扉８０のランプ等（後述する）への配線Ｗ（図１参照）を、内枠体２０の配線用枠部２２の配線挿通孔２２ａに通すことにより、該配線Ｗの取り回しを容易に行うことができる。ちなみに、従来では遊技盤６の下方を横切るようにして前記配線が煩雑に取り回されていたが、上記したように遊技盤６の配線用凹部６０ｅ内（詳しくは、配線用枠部２２の配線挿通孔２２ａ）を利用することによって、前に述べたように前記配線Ｗの取り回しを容易に行うことができる。
さらに、前記遊技盤６の配線用凹部６０ｅが該遊技盤６の上端側に形成されているので、遊技盤６の上半部に集中する多くの配線Ｗ（開閉扉８０のランプ等（後述する）にかかる配線）に必要とされる長さを短縮することかできる。
また、前記遊技盤６の配線用凹部６０ｅが内枠体２０のヒンジ側（本実施の形態の場合、左側）に形成されているので、外枠体１０に対する内枠体２０の開閉にともなう配線Ｗの伸縮量を短縮することができる。
【００４６】
次に、前記開閉扉８０の扉装飾体９０の構成を詳述する。図２１に示すように、開閉扉８０の扉装飾体９０は、遊技領域視認窓８０ａの左右上下を取り囲む左側の飾り部１００と右側の飾り部１１０と上側の飾り部１２０と下側の飾り部１３０とによって構成されている。これら飾り部１００，１１０，１２０，１３０の内周部には、環状のモール９１が取り付けられている。モール９１は、周方向に複数（例えば、左右上下の計４個）に分割された金属製のモール材９２，９３，９４，９５の組合わせによって一連状に形成されている。なお、左側の飾り部１００と右側の飾り部１１０は、それぞれ本明細書でいう「装飾部」に相当するものであるから「装飾部」とも称することにする。
【００４７】
前記モール９１の内周縁によって、開閉扉８０の遊技領域視認窓８０ａの輪郭形状９６が、次に詳述する形状に形成されている。遊技領域視認窓８０ａの輪郭形状９６は、前記遊技盤６の区画壁６１（図１８参照）における大半を占める外径の円周線（基準円と呼ぶ）ＣＬに準ずるほぼ円形状に形成されている。詳しくは、輪郭形状９６の左右側部における上下方向の中央部９６ｂ，９６ｆは、基準円ＣＬ上にほぼ位置している。また、輪郭形状９６のうち対角状に位置する左下部９６ａ及び右上部９６ｅは、基準円ＣＬよりも外方へ膨出されている。なお、輪郭形状９６の左下部９６ａ及び右上部９６ｅは、それぞれ本明細書でいう「膨出部」に相当する。
また、輪郭形状９６のうち対角状に位置する左上部における下半部９６ｃ及び右下部における上半部９６ｈは、前記左下部９６ａ及び右上部９６ｅの膨出量よりも小さい膨出量をもって基準円ＣＬよりも外方に膨出されている。なお、輪郭形状９６の左上部における下半部９６ｃ及び右下部における上半部９６ｈは、それぞれ本明細書でいう「膨出部」に相当する。
また、輪郭形状９６のうち対角状に位置する左上部における上半部９６ｄ及び右下部における下半部９６ｉは基準円ＣＬよりも僅かに内方に絞られている。
【００４８】
上記輪郭形状９６は、周方向に亘ってなだらかに連続する曲線をもって連続されており、上下方向の中央部９６ｂ，９６ｆを絞った中絞り状でかつ左右非対称及び上下非対称のいわゆる「鏡餅形状」あるいは「ひょうたん形状」あるいは「まゆ玉形状」に類似する特異な形状として形成されている。
さらには、輪郭形状９６の四隅部（左上部、右上部、左下部、右下部の四隅が相当する）のうちの対角状をなす左下部９６ａ及び右上部９６ｅが前記基準円ＣＬより外方へ膨出した、概念的には平行四辺形状にも類似する形状をなしている。また、輪郭形状９６の左下部９６ａ、中央部９６ｂ及び左上部の下半部９６ｃと、右上部９６ｅ、中央部９６ｆ及び右下部の上半部９６ｈは、波状の曲線部（９６ａ−ｂ−ｃ，９６ｅ−ｆ−ｈと記す）によって連続されている。曲線部９６ａ−ｂ−ｃ，９６ｅ−ｆ−ｈは、左右の装飾部１００，１１０（後述する）の稜線部１０９ｒ，１１０ｒの幅方向（左右方向）の波状に倣う曲線部となっている。
【００４９】
上記のように、前記遊技領域視認窓８０ａの輪郭形状９６は、上下方向の中央部９６ｂ，９６ｆを絞った異形の円環状に形成されているので、一般的なパチンコ機に見られる円環状、あるいは四角形状等の輪郭形状に比べると、斬新で特異な輪郭形状９６を呈する。
また、遊技領域視認窓８０ａの輪郭形状９６が左右非対称状に形成されていることによっても、斬新で特異な輪郭形状９６を呈することができる。
また、遊技領域視認窓８０ａの輪郭形状９６が上下非対称状に形成されていることによっても、斬新で特異な輪郭形状９６を呈することができる。
また、前記遊技領域視認窓８０ａの輪郭形状９６が対角状に位置する膨出部（左下部９６ａ及び右上部９６ｅ、左上部における下半部９６ｃ及び右下部における上半部９６ｈ）を有していることによっても、斬新で特異な輪郭形状９６を呈することができる。
さらに、輪郭形状９６の膨出部（左下部９６ａ及び右上部９６ｅ、左上部における下半部９６ｃ及び右下部における上半部９６ｈ）は、遊技領域視認窓８０ａの視認可能な範囲を部分的に拡大することができる。
【００５０】
また、輪郭形状９６の左下部９６ａ及び右上部９６ｅは、前記基準円ＣＬ（図２１参照）から外方への膨出量を大きくしている。これにより、前記遊技盤６（図１８参照）の区画壁６１外すなわち遊技領域６３外の左右の囲繞部材６８，６９の当該部分を前記透視板８４を透して視認することができる。
ところで、遊技盤６の遊技領域６３外には、「遊技者向け情報」（図２１中、二点鎖線Ｚｂ参照）と「検査者向け情報」（図２１中、二点鎖線Ｚａ参照）とを表示する必要がある。「遊技者向け情報」（図２１中、二点鎖線Ｚｂ参照）とは、当該パチンコ機１の機種名、出球確率、賞球数、確率変動割合、リミッタの有無等の情報である。また、「検査者向け情報」（図２１中、二点鎖線Ｚａ参照）とは、パチンコ機１の検査に必要とされる各種情報である。なお、各情報は、その情報を記載したそれぞれの識別シール、証紙等を遊技盤６の遊技領域６３外に貼付することによって表示されている。
【００５１】
そこで、例えば、「検査者向け情報」（図２１中、二点鎖線Ｚａ参照）を、前記遊技領域視認窓８０ａの輪郭形状９６の対角状をなす膨出部のうちの一方、例えば左下部９６ａ内で視認可能な部位、すなわち左側の囲繞部材６８の当該部分に表示することができる。また、「遊技者向け情報」（図２１中、二点鎖線Ｚｂ参照）を、前記遊技領域視認窓８０ａの輪郭形状９６の対角状をなす膨出部のうちの他方、例えば右上部９６ｅ内で視認可能な部位、すなわち右側の囲繞部材６９の当該部分に表示することができる。
したがって、輪郭形状９６の膨出部（左下部９６ａ、右上部９６ｅ）内の視認可能な部位に、検査者向け情報（図２１中、二点鎖線Ｚａ参照）、遊技者向け情報（図２１中、二点鎖線Ｚｂ参照）等を配置することにより、それらの情報を容易に視認可能に表示することができる。
【００５２】
さらに、前に述べたように、「遊技者向け情報」（図２１中、二点鎖線Ｚｂ参照）は、遊技者から見やすい位置すなわち遊技者の通常の目線高さに近い位置である、前記輪郭形状９６の右上部９６ｅ内に表示することができる。これとともに、遊技者が必要としない「検査者向け情報」（図２１中、二点鎖線Ｚａ参照）は、遊技者から見えにくい位置すなわち遊技者の通常の目線高さ及び「遊技者向け情報」から遠く離れた位置である、前記輪郭形状９６の左下部９６ａ内に表示することができる。なお、「遊技者向け情報」（図２１中、二点鎖線Ｚｂ参照）と「検査者向け情報」（図２１中、二点鎖線Ｚａ参照）とは、上記と逆配置で表示することもできる。
【００５３】
なお、従来の遊技領域視認窓の輪郭形状が円環状である場合には、各情報Ｚａ，Ｚｂを表示するために、開閉扉８０に対して遊技領域視認窓とは別に当該情報を表示するための情報表示窓をわざわざ設ける必要があったが、本実施の形態によればそのような専用の遊技領域視認窓部を形成する必要がない。
また、従来の遊技領域視認窓の輪郭形状が四角形状等である場合は、各情報を表示するための情報表示窓を設けることなく、当該情報を表示することができる。しかし、この場合、デザインを施すことのできる扉装飾体における遊技領域視認窓の周囲に装飾を施すための装飾面積が大幅に制限されてしまうので、これまたパチンコ機の意匠に斬新さを求めることができないが、本実施の形態によればデザインを施すことのできる扉装飾体９０の装飾面積の制限を最小限にして、パチンコ機１の意匠を斬新なものとすることができる。
【００５４】
また、前記遊技領域視認窓８０ａの輪郭形状９６の右上部９６ｅに代えてその左上部（下半部９６ｃ及び上半部９６ｄ）を前記基準円ＣＬ（図２１参照）より外方へ膨出してもよい。また、その輪郭形状９６の左下部９６ａに代えてその右下部（上半部９６ｈ及び下半部９６ｉ）を基準円ＣＬよりも外方に膨出してもよい。すなわち、遊技領域視認窓８０ａの輪郭形状９６における対角状をなす部分（例えば、左下部９６ａ及び右上部９６ｅ、又は、左上部及び右下部）が、基準円ＣＬよりも外方へ膨出した形状であれば、前記と同様の作用・効果を得ることができる。
【００５５】
また、前記遊技領域視認窓８０ａの輪郭形状９６の左上部における上半部９６ｄ及び右下部における下半部９６ｉが基準円ＣＬよりも僅かに内方に絞られている。このため、当該部分における遊技領域６３が僅かに隠れる形状、すなわち遊技に支障をきたさない程度に隠る形状としている。このことによっても、遊技領域視認窓８０ａの輪郭形状９６が斬新な形状といえる。なお、輪郭形状９６は、遊技領域６３が隠れない形状であってもよい。
【００５６】
しかして、図２１に示すように、前記モール９１は、前記遊技領域視認窓８０ａの輪郭形状９６に沿って形成されていることにより、モール９１の稜線部９１ｒが幅方向に関して不規則な波状にうねる形状となっている。
さらに、図２１に示すように、モール９１は、前方へほぼ山形状に突出する断面Ｖ字状に形成されている（図７〜図１１参照）。モール９１の前面側の内外の両斜面９１ａ，９１ｂは、鏡面いわゆる反射面（斜面と同一符号を付す）として形成されている。これにより、モール９１の内側の斜面である内向き反射面９１ａは、遊技領域視認窓８０ａの内周側前方に指向している。また、外側の斜面である外向き反射面９１ｂは、遊技領域視認窓８０ａの外周側前方に指向している。
【００５７】
さらに、前記遊技領域視認窓８０ａの輪郭形状９６（図２１参照）の形状に応じて、前記モール９１の稜線部９１ｒが突出高さ方向に関して不規則な波状に起伏している。すなわち、稜線部９１ｒの突出方向の高さ（前方への突出量）が長さ方向に連続した波状に変化すなわち起伏（高くなったり低くなったり）している。さらに、モール９１の稜線部９１ｒは、前にも述べたように、幅方向（稜線部９１ｒに交差する方向の幅方向）に関して不規則な波状にうねる形状に形成されている（図７〜図１１参照）。これとともに、モール９１のモール幅（稜線部９１ｒに交差する方向の幅）が増減されている。これにより、モール９１が周方向に変則的な立体感を呈する形状となっている。
【００５８】
また、図２１に示すように、前記扉装飾体９０を構成する各飾り部１００，１１０，１２０，１３０の相互の区画線Ｃ１，Ｃ２，Ｃ３，Ｃ４は、前記モール９１の外形に連続する湾曲形状に形成されている。すなわち、左側の飾り部１００と上側の飾り部１２０との区画線Ｃ１は、モール９１の左上部から上左方へ向かって左カーブを描いて湾曲している。また、上側の飾り部１２０と右側の飾り部１１０との区画線Ｃ２は、モール９１の右上部９６ｅから上右方へ向かって右カーブを描いて湾曲している。また、右側の飾り部１１０と下側の飾り部１３０との区画線Ｃ３は、モール９１の右下部から下方へ向かって左カーブを描いて湾曲している。また、下側の飾り部１３０と左側の飾り部１００との区画線Ｃ４は、前記モール９１の左下部９６ａから下方へ向かって右カーブを描いて湾曲している。
【００５９】
前記遊技領域視認窓８０ａを間にして左右に配置される左側の装飾部（飾り部）１００及び右側の装飾部（飾り部）１１０は、遊技領域視認窓８０ａの輪郭形状９６に準じる形状で前方に向けて断面凸型円弧状に突出するほぼ山形状に形成されている（図２２及び図２３参照）。左右の装飾部１００，１１０の稜線部１００ｒ，１１０ｒ（図２１に仮想線で示す）は、それぞれ前記モール９１の稜線部９１ｒよりも高い位置で縦方向に延びており、突出高さ方向に関して不規則な波状に起伏している（図７及び図８参照）。すなわち、稜線部１００ｒ，１１０ｒの突出方向の高さ（前方への突出量）が長さ方向に連続した波状に変化すなわち起伏（高くなったり低くなったり）している。
さらに、左側の装飾部１００の稜線部１００ｒは、モール９１の左側部の外形形状に対して緩やかに倣うように、幅方向（左右方向）に関して不規則な波状にうねる形状に形成されている。すなわち、稜線部１００ｒの幅方向（突出高さ方向に交差する方向）のずれ幅が長さ方向に連続した波状に変化すなわちうねっている。
また、右側の装飾部１１０の稜線部１１０ｒは、前記モール９１の右側部の外形形状に対して緩やかに倣うように、幅方向（左右方向）に関して不規則な波状にうねる形状に形成されている。すなわち、稜線部１１０ｒの幅方向（突出高さ方向に交差する方向）のずれ幅が長さ方向に連続した波状に変化すなわちうねっている。
左右の装飾部１００，１１０の各稜線部１００ｒ，１１０ｒは、互いに非類似すなわち左右非対称の形状に形成されている。
上記したように、遊技領域視認窓８０ａを間にして左右両側部に配置された左右の各装飾部１００，１１０により、遊技領域視認窓８０ａの左右両側に立体感のある装飾を施すことができる。なお、左側の装飾部１００及び右側の装飾部１１０は、前にも述べたように、本明細書でいう「装飾部」にそれぞれ相当する。
【００６０】
しかして、前記左側の装飾部１００の稜線部１００ｒの上下の各端部が左方に指向されているとともに、前記右側の装飾部１１０の稜線部１１０ｒの上下の各端部が右方に指向されている。そして、図３２に示すように、複数のパチンコ機１を左右に並べたホール等において、左右に隣り合うパチンコ機１において、左側のパチンコ機１における右側の装飾部１１０の稜線部１１０ｒと、右側のパチンコ機１における左側の装飾部１１０の稜線部１１０ｒとが、互いに連続状をなすように形成されている。なお、図３２において、パチンコ機１の相互間には、カード式球貸機２００が挟まれた状態で配置されている。
【００６１】
図２１に示すように、前記左側の装飾部１００における稜線部１００ｒの付近には、その稜線部１００ｒを含みかつ縦方向に一連状をなす上中下の３本の樹脂製の左側レンズ１０２ａ，１０２ｂ，１０２ｃが設けられている（図２０参照）。これら左側レンズ１０２ａ，１０２ｂ，１０２ｃは、稜線部１００ｒの付近以外のベース部分を形成する樹脂製のベース部材１００ａに装着されている。すなわち、左側の装飾部１００は、その主体となるベース部分を形成するベース部材１００ａと、そのベース部材１００ａに装着された左側レンズ１０２ａ，１０２ｂ，１０２ｃとにより構成されている。ベース部材１００ａは、非透光性材料、すなわち光が透過しない非透光性の樹脂材料で形成されている。また、各左側レンズ１０２ａ，１０２ｂ，１０２ｃは、例えば赤色の拡散レンズで、稜線部１００ｒに沿って延びる長尺状に形成されており、ベース部材１００ａに開口された各レンズ取付孔（符号省略）に対してそれぞれ嵌合した状態で装着されている（図２２及び図２３参照）。また、各左側レンズ１０２ａ，１０２ｂ，１０２ｃは、左側の装飾部１００の稜線部１００ｒの長さ方向（縦方向）に関して複数（本実施の形態では３個を示す）に分割された状態でベース部材１００ａに配置されている。また、上下に隣り合う左側レンズ１０２ａ，１０２ｂ，１０２ｃは、僅かな隙間を隔てて配置されている。その隙間は、ベース部材１００ａの隣り合うレンズ取付孔（符号省略）の間を仕切る仕切り部１００ｂで塞がれている（図２１参照）。また、各左側レンズ１０２ａ，１０２ｂ，１０２ｃの横幅（図２１において左右方向の幅）は、当該稜線部１００ｒの波形に応じて増減されている。これにより、各左側レンズ１０２ａ，１０２ｂ，１０２ｃが縦方向に変則的な立体感を呈する形状となっている。なお、各左側レンズ１０２ａ，１０２ｂ，１０２ｃは、本明細書でいう「レンズ部材」に相当する。
【００６２】
図２１に示すように、前記左側の装飾部１００のベース部材１００ａには、上部に配置された左側レンズ１０２ａを間に、左右の樹脂製の上部レンズ１０３ａ，１０３ｂが設けられている（図２０参照）。各上部レンズ１０３ａ，１０３ｂは、例えば白色の拡散レンズで形成されており、左側の装飾部１００に開口されたそれぞれのレンズ取付孔（符号省略）に対してそれぞれ嵌合した状態で装着されている（図２２参照）。また、各上部レンズ１０３ａ，１０３ｂは、上部の左側レンズ１０２ａに対して相互に所定間隔を隔てて配置されており、当該左側レンズ１０２ａの当該側縁部の形状に対して緩やかに倣うほぼ三日月形状に形成されている。また、各上部レンズ１０３ａ，１０３ｂの横幅（図２１において左右方向の幅）は、当該稜線部１００ｒの波形に応じて増減されている。これにより、各上部レンズ１０３ａ，１０３ｂが縦方向に変則的な立体感を呈する形状となっている。
【００６３】
図２２及び図２３に示すように、前記扉本体８２の前面側には、前記左側の装飾部１００で取り囲まれた空間部１０４が形成されている。そして、扉本体８２の前面側には、前記各左側レンズ１０２ａ，１０２ｂ，１０２ｃにそれぞれ対応する各ランプ基板１０５（下部の左側レンズ１０２ｃに対応するランプ基板は図示されていない）と、前記各上部レンズ１０３ａ，１０３ｂにそれぞれ対応する各ランプ基板１０７が配置されている。各ランプ基板１０５，１０７の前面側には、それぞれ当該レンズ形状及び面積に対応する所定数（例えば、３〜１２個）の各ランプ１０６，１０８が配置されている。各ランプ１０６，１０８には、例えば、発光ダイオード（ＬＥＤと呼ばれている）が採用されている。各ランプ１０６，１０８が点灯することにより、そのランプ１０６，１０８から出射される光が当該レンズ１０２ａ，１０２ｂ，１０２ｃ，１０３ａ，１０３ｂを透して前方へ拡散され、該レンズ全体が明るく照らし出される。このため、例えばホール等の島の間を歩行する遊技者がパチンコ機１を左方又は右方から見る角度によって、各レンズ１０２ａ，１０２ｂ，１０２ｃ，１０３ａ，１０３ｂがほぼ波形状に照らし出されることにより、電飾効果を高めることができる。また、各左側レンズ１０２ａ，１０２ｂ，１０２ｃのランプ１０６は、例えば所定時間毎に点灯、消灯を繰り返すようになっている。なお、ランプ１０６，１０８は、本明細書でいう「内部光源」に相当する。
また、各上部レンズ１０３ａ，１０３ｂのランプ１０８は、例えば、賞球にかかるエラー時、賞球払出時、ガラス枠の開放時、球切れ時等に点灯あるいは点滅するようになっている。
【００６４】
図２１に示すように、前記各左側レンズ１０２ａ，１０２ｂ，１０２ｃと前記モール９１との間における左側の装飾部１００の縦方向部分（符号、１０９を付す）は、その左右方向の中央部が前方に向けて断面凸型Ｖ字状に突出するほぼ山形状に形成されている。その縦方向部分１０９の稜線部１０９ｒは、突出高さ方向に関して不規則な波状に起伏している。すなわち、稜線部１０９ｒの突出方向の高さ（前方への突出量）が長さ方向に連続した波状に変化すなわち起伏（高くなったり低くなったり）している。
【００６５】
図２１に示すように、前記右側の装飾部１１０における稜線部１１０ｒの付近には、その稜線部１１０ｒを含みかつ縦方向に一連状をなす上中下の３本の樹脂製の右側レンズ１１２ａ，１１２ｂ，１１２ｃが設けられている（図２０参照）。これら右側レンズ１１２ａ，１１２ｂ，１１２ｃは、稜線部１１０ｒの付近以外のベース部分を形成する樹脂製のベース部材１１０ａに装着されている。すなわち、右側の装飾部１１０は、その主体となるベース部分を形成するベース部材１１０ａと、そのベース部材１１０ａに装着された右側レンズ１１２ａ，１１２ｂ，１１２ｃとにより構成されている。ベース部材１１０ａは、非透光性材料、すなわち光が透過しない非透光性の樹脂材料で形成されている。また、各右側レンズ１１２ａ，１１２ｂ，１１２ｃは、前記左側の装飾部１００の左側レンズ１０２ａ，１０２ｂ，１０２ｃと同様、例えば赤色の拡散レンズで、稜線部１１０ｒに沿って延びる長尺状に形成されており、ベース部材１００ａに開口された各レンズ取付孔（符号省略）に対してそれぞれ嵌合した状態で装着されている（図２２及び図２３参照）。また、各右側レンズ１１２ａ，１１２ｂ，１１２ｃは、右側の装飾部１１０の稜線部１１０ｒの長さ方向（縦方向）に関して複数（本実施の形態では３個を示す）に分割された状態でベース部材１１０ａに配置されている。また、上下に隣り合う右側レンズ１１２ａ，１１２ｂ、１１２ｂ，１１２ｃは、僅かな隙間を隔てて配置されている。その隙間は、ベース部材１１０ａの隣り合うレンズ取付孔（符号省略）の間を仕切る仕切り部１１０ｂで塞がれている（図２１参照）。また、各右側レンズ１１２ａ，１１２ｂ，１１２ｃの横幅（図２１において左右方向の幅）は、当該稜線部１１０ｒの波形に応じて増減されている。これにより、各右側レンズ１１２ａ，１１２ｂ，１１２ｃが縦方向に変則的な立体感を呈する形状となっている。なお、各右側レンズ１１２ａ，１１２ｂ，１１２ｃは、本明細書でいう「レンズ部材」に相当する。
【００６６】
図２２に示すように、前記右側の装飾部１１０のベース部材１００ａには、上部に配置された右側レンズ１１２ａを間に、左右の音透し孔１１１ａ，１１１ｂが設けられている。また、各音透し孔１１１ａ，１１１ｂは、上部の右側レンズ１１２ａ，１１２ｂに対して相互に所定間隔を隔てて形成されており、当該右側レンズ１１２ａの当該側縁部の形状に対して緩やかに倣うほぼ三日月形状に形成されている（図２１参照）。また、各音透し孔１１１ａ，１１１ｂの横幅（図２１において左右方向の幅）は、当該稜線部１１０ｒの波形に応じて増減されている。
【００６７】
図４に示すように、前記各音透し孔１１１ａ，１１１ｂは、前記内枠体２０に装着されたスピーカ５６のほぼ前方に位置している（図４参照）。しかして、図９に示すように、前記扉本体８２には、前記スピーカ５６に対応するスピーカ用開口孔（符号省略）が形成されている。このため、前記スピーカ５６から発せられる音が、扉本体８２のスピーカ用開口孔、右側の装飾部１１０内の空間部１１４（後述する）、及び、各音透し孔１１１ａ，１１１ｂを透して、前方（図２１において右方）へ放射されやすくなっている。
また、各音透し孔１１１ａ，１１１ｂの間の上部の右側レンズ１１２ａとスピーカ５６とが相前後して重畳配置されている（図４参照）。これにより、スピーカ５６を合理的に配置することができ、該スピーカ５６の配置スペースを削減することができる。
【００６８】
図２２及び図２３に示すように、前記扉本体８２の前面側には、前記右側の装飾部１１０で取り囲まれた空間部１１４が形成されている。そして、扉本体８２の前面側には、前記各右側レンズ１１２ａ，１１２ｂ，１１２ｃ（図２１参照）にそれぞれ対応する各ランプ基板１１５（下部の右側レンズ１１２ｃに対応するランプ基板は図示されていない）が配置されている。各ランプ基板１１５の前面側には、それぞれ当該レンズ形状及び面積に対応する所定数（例えば、６〜１２個）の各ランプ１１６が配置されている。各ランプ１１６には、例えば、前記ランプ１０６、１０８と同様に、発光ダイオード（ＬＥＤと呼ばれている）が採用されている。また、例えばホール等の島の間を歩行する遊技者がパチンコ機１を左方又は右方から見る角度によって、各右側レンズ１１２ａ，１１２ｂ，１１２ｃがほぼ波形状に照らし出されることにより、電飾効果を高めることができる。また、各右側レンズ１１２ａ，１１２ｂ，１１２ｃの各ランプ１１６は、例えば所定時間毎に点灯、消灯を繰り返すようになっている。なお、ランプ１１６は、本明細書でいう「内部光源」に相当する。
また、各ランプ１１６から発せられる熱が、右側の装飾部１１０内の空間部１１４から前記各音透し孔１１１ａ，１１１ｂを通して外部に放出される。したがって、音透し孔１１１ａ，１１１ｂに放熱孔の機能を兼備させることができる。なお、音透し孔１１１ａ，１１１ｂと同様に、前記左側の装飾部１００に放熱孔を設けることもできる。また、音透し孔１１１ａ，１１１ｂの形状、個数等は適宜変更することができる。
【００６９】
図２２及び図２３に示すように、前記各右側レンズ１１２ａ，１１２ｂ，１１２ｃと前記モール９１（図２１参照）との間における右側の装飾部１１０の縦方向部分（符号、１１９を付す）は、その左右方向の中央部が前方に向けて断面凸型Ｖ字状に突出するほぼ山形状に形成されている。その縦方向部分１１９の稜線部１１９ｒは、突出高さ方向に関して不規則な波状に起伏している。すなわち、稜線部１１９ｒの突出方向の高さ（前方への突出量）が長さ方向に連続した波状に変化すなわち起伏（高くなったり低くなったり）している。
【００７０】
図２１に示すように、前記上側の飾り部１２０のベース部材１２０ａには、前記モール９１の上縁部に沿う樹脂製のトップレンズ１２３が設けられている。トップレンズ１２３は、ベース部分を形成する樹脂製のベース部材１２０ａに装着されている。すなわち、上側の飾り部１２０は、その主体となるベース部分を形成するベース部材１２０ａと、そのベース部材１２０ａに装着されたトップレンズ１２３とにより構成されている。トップレンズ１２３は、例えば無色透明のレンズで、図２６に示すように、中央部の稜線部１２３ｒ（後述する）が遊技領域視認窓８０ａの輪郭形状９６に準じる形状で前方へ向けて断面Ｖ字状に突出するほぼ山形状に形成されている。また、トップレンズ１２３は、図２５及び図２６に示すように、前記モール９１（図２１参照）の上縁部に沿う下縁部１２３ａと、その下縁部１２３ａの左端部から右端部に向けて二山状をなす上縁部１２３ｂと、突出高さ方向及び幅方向（上下方向）に関して不規則な波状をなす稜線部１２３ｒとを有している。これにより、トップレンズ１２３が変則的な立体感を呈する形状となっている。
【００７１】
また、前記トップレンズ１２３の左右端部を除いた稜線部１２３ｒの突出方向高さは、前記モール９１及び左右の各装飾部１００，１１０の稜線部９１ｒ，１００ｒ，１１０ｒよりも高く、長さ方向に緩やかな山形状に起伏している（図７及び図８参照）。また、図２５に示すように、トップレンズ１２３の稜線部１２３ｒのずれ幅（図２５において上下方向の幅）は、当該稜線部１２３ｒの波形に応じて増減され、長さ方向に緩やかにうねっている。これにより、トップレンズ１２３の突出高さ及びずれ幅が長さ方向に変則的な立体感を呈する形状となっている。また、トップレンズ１２３の稜線部１２３ｒは、前記左側の装飾部１００の稜線部１００ｒ及び前記右側の装飾部１１０の稜線部１１０ｒに対して、互いに非類似の形状に形成されている。
【００７２】
上記したように、遊技領域視認窓８０ａの周囲すなわち上側には、モール９１すなわち遊技領域視認窓８０ａの輪郭形状９６に準じる形状でかつ前方へ突出するトップレンズ１２３を有する上側の飾り部１２０が設けられている。これにより、遊技領域視認窓８０ａの上側に立体感のある装飾を施すことができる。なお、トップレンズ１２３は、本明細書でいう「装飾部」及び「レンズ部材」に相当する。
【００７３】
前記トップレンズ１２３は、図２６に示すように、上縁部１２３ｂ及び下縁部１２３ａから稜線部１２３ｒに向かって次第に肉厚が厚くなり、稜線部１２３ｒで最大肉厚となるように、光学プリズムを模した断面形状に形成されている。これにより、トップレンズ１２３に対し、ランプ１２６（後述する）から発せられる光線を屈折、拡散、内反射等により複合的に変化させる、いわゆるプリズム状の特性が付与されている。
また、トップレンズ１２３の下縁部１２３ａには、扉本体８２にネジ等の固定部材により固定される適数個（図２５では左右２個を示す）の取付片１２３ｃが一体形成されている。なお、取付片１２３ｃは、上側モール材９４によって隠蔽される。
また、トップレンズ１２３の上縁部１２３ｂには、扉本体８２と前記ベース部材１２０ａとの間に挟持される適数個（図２５では左右２個を示す）の挟持片１２３ｄが一体形成されている。なお、挟持片１２３ｄは、ベース部材１２０ａによって隠蔽される。
【００７４】
図２４に示すように、前記扉本体８２の前面側には、前記トップレンズ１２３で取り囲まれた空間部１２４が形成されている。そして、前記扉本体８２の前面側には、トップレンズ１２３に対応しかつ左右方向に分割された複数枚（例えば、４枚）のランプ基板１２５が配置されている（図２１参照）。各ランプ基板１２５の前面側には、それぞれ当該レンズ形状及び面積に対応する所定数（例えば、８〜１２個）のランプ１２６が配置されている（図２４参照）。各ランプ１２６には、例えば、発光ダイオード（ＬＥＤと呼ばれている）が採用されている。また、扉本体８２には、前記空間部１２４内において各ランプ基板１２５のランプ１２６を覆うほぼ平板状のカバーレンズ１２７が装着されている。カバーレンズ１２７は、例えば無色透明の拡散レンズで形成されている。
【００７５】
前記各ランプ１２６が点灯することにより、そのランプ１２６から出射される光線が前記カバーレンズ１２７を透して前方へ拡散され、さらに前記トップレンズ１２３を透して前方及び左右上下方向へ様々に屈折、分散され、該レンズ全体が明るく照らし出される。このため、例えばホール等の島の間を歩行する遊技者がパチンコ機１を左方又は右方から見る角度によって、トップレンズ１２３の稜線部１２３ｒの周辺部のプリズム特性によってランプ１２６の光線が様々に照らし出されることにより、電飾効果を高めることができる。また、パチンコ機１の左右の側方からトップレンズ１２３を見ると、そのレンズの上下の各斜面部（符号、１２３ｅ，１２３ｆを付す）が光ることにより、発光装飾効果が高まる。また、トップレンズ１２３の稜線部１２３ｒが湾曲しているため、その湾曲形状に応じて、特有の模様が光ることによっても、発光装飾効果が高まる。また、トップレンズ１２３のランプ１２６は、例えば所定時間毎に点灯、消灯を繰り返すようになっている。なお、ランプ１２６は、本明細書でいう「内部光源」に相当する。
【００７６】
さらに、前記各ランプ基板１２５には、それぞれ異なる色に点灯するランプ１２６、例えば左のランプ基板１２５から右へ順に、例えば青色、緑色、黄色、赤色に点灯するそれぞれのランプ１２６が採用されている。このため、ランプ基板１２５毎のランプ１２６を、適宜選択的に点灯、消灯することにより、装飾効果を高めることができる。その各ランプ１２６は、例えば青色、緑色、黄色、赤色のうち、選択的に１色ずつ、あるいは２色ずつ、あるいは３色ずつ点灯したり、全色点灯したり、消灯したりする等の点灯、消灯の方法が考えられる。また、例えばホール等の島の間を歩行する遊技者がパチンコ機１を左方又は右方から見る角度によって、トップレンズ１２３の稜線部１２３ｒの周辺部のプリズム特性によって、各色のランプの光線が様々に照らし出されたり、複数の色の光線が混ざって中間色が照らし出されたりすることにより、電飾効果を高めることができる。また、１枚のランプ基板１２５に対し異なる色の複数のランプ１２６を規則的あるいはランダムに配置することもできる。また、ランプ基板１２５の枚数、ランプ１２６の色数は、適宜増減することができる。
【００７７】
さらに、図２１に示すように、前記上側の飾り部１２０のベース部材１２０ａには、前記トップレンズ１２３の上縁部１２３ｂ（図２５参照）に倣うほぼ三日月形状の波形隆起部１２１が形成されている。波形隆起部１２１は、前方へほぼ山形状に突出する断面Ｖ字状（図２４参照）に形成されており、その稜線部１２１ｒは左右方向に延びており、突出高さ方向に関して不規則な波状に起伏している（図２１参照）。すなわち、稜線部１２１ｒの突出方向の高さ（前方への突出量）が長さ方向に連続した波状に変化すなわち起伏（高くなったり低くなったり）している。
【００７８】
図２１に示すように、前記上側の飾り部１２０のベース部材１２０ａには、前記左側の装飾部１００と前記トップレンズ１２３との間に位置しかつ該左側の装飾部１００の右側の上部レンズ１０３ｂに倣うほぼ三日月形状の左側隆起部１２８が形成されている。さらに、上側の飾り部１２０のベース部材１２０ａには、前記右側の装飾部１１０と前記トップレンズ１２３との間に位置しかつ該トップレンズ１２３の右側部にほぼ倣う形状の右側隆起部１２９が形成されている。それらの各隆起部１２８，１２９の周囲１２８ａ，１２９ａは窪んでおり、両左側隆起部１２８の膨らみ感が増加されている。
【００７９】
前記下側の飾り部１３０は、前記左側の装飾部１００及び前記右側の装飾部１１０とほぼ同様に、その中央部が遊技領域視認窓８０ａの輪郭形状９６に準じる形状で前方に向けて断面凸型円弧状に隆起するほぼ山形状に形成されている（図７及び図８参照）。図２１に示すように、下側の飾り部１３０は、その主体となるベース部分を形成するベース部材１３０ａと、そのベース部材１３０ａに装着された操作ユニット１４０とにより構成されている。操作ユニット１４０は、ベース部材１３０ａに形成されたほぼ三角形状の取付孔（符号省略）に嵌め込んだ状態で装着されている。操作ユニット１４０は、その中央部に配置された残度数表示器１４１と、その表示器１４１の左隣りに配置された球貸ボタン１４２と、残度数表示器１４１の右隣りに配置された返却ボタン１４３とを備えている。残度数表示器１４１は、例えば７セグメントＬＥＤを３個用いて３桁の数字を表示可能に構成されており、前記カード式球貸機２００（図３２参照）にセット、いわゆる挿入されたプリペイドカードの残度数（例えば、百円単位の残高）を表示する。また、球貸ボタン１４２を押すと、前記プリペイドカードの残度数内において所定数（例えば、５００円分相当の球数）のパチンコ球が払出される。また、返却ボタン１４３を押すと、前記カード球貸機２００内に入っているプリペイドカードが返却、すなわち遊技者が受け取れるように押し出される。なお、球貸ボタン１４２及び返却ボタン１４３を操作ユニット１４０の外形とほぼ相似形をなす形状とすることにより、パチンコ機１のデザインが向上されている。
【００８０】
図４に示すように、前記扉装飾体９０は、前記モール９１、前記各飾り部１００，１１０，１２０，１３０、及びトップレンズ１２３等の凹凸形状によって、特異なレリーフ調のデザインがかもしだされている。なお、各レンズ、及び、ランプを備えたランプ基板は本明細書でいう「発光装飾装置」を構成している。
【００８１】
次に、前記操作ハンドル４４の構成を詳述する。図２９及び図３０に示すように、操作ハンドル４４は、その前半部分を形成する前半ハンドル部４５と、その後半部分を形成する後半ハンドル部４６と、その両ハンドル部４５，４６の間に回動操作可能に配置されたハンドルレバー４８とを備えている。両ハンドル部４５，４６は、例えば樹脂製で、その左側部にはほぼ翼状をなす指置き部４５ａ，４６ａが一体形成されている（図２９参照）。両ハンドル部４５，４６の指置き部４５ａ，４６ａが相互に一体的に接合されることにより、両ハンドル部４５，４６の相互間にハンドルレバー４８が回転可能に支持されている。後半ハンドル部４６の後面側には、前記下前板部材５８に設けられた貫通孔５８ｂ（図９参照）に挿入可能な嵌合筒部４６ｂが一体形成されている（図３０参照）。嵌合筒部４６ｂ内には、前記操作軸４０ａ（図１２参照）に対し嵌装によって連結可能な作動軸４７が軸受４７ａを介して回転可能に支持されている（図３０参照）。また、作動軸４７は、ハンドルレバー４８に対し同一軸線をなす状態で連結されている。さらに、後半ハンドル部４６の指置き部４６ａの後面側には、前記下前板部材５８に形成された取付孔（図示省略）に対し弾性変形を利用して係着可能なクリップ部４６ｃが一体形成されている（図２９参照）。
【００８２】
前記ハンドルレバー４８は、例えば樹脂製で、前記両ハンドル部４５，４６の外周上に突出するほぼ環状の操作リング部４８ａを有している（図２８〜図３０参照）。また、ハンドルレバー４８は、ばね（図示省略）により、常には図２８において左回り方向（矢印Ｙ参照）に付勢されており、図２８に示す待機位置に保持されている。
【００８３】
また、図３０に示すように、前記前半ハンドル部４５内には、電動式のバイブレータ４９が組込まれている。バイブレータ４９には、例えばスピーカ装置のコーンに錘を付加してなる構造のバイブレータが採用されており、そのコーンの振動を利用して振動を発生する。バイブレータ４９が発生した振動が両ハンドル部４５，４６及びハンドルレバー４８に伝達されるため、操作ハンドル４４を握る遊技者に振動を与えることができる。また、バイブレータ４９は、リーチ、大当たりの予告時等の所定時期に振動されるようになっている。
【００８４】
上記した操作ハンドル４４は、前記後半ハンドル部４６の嵌合筒部４６ｂが下前記下前板部材５８の貫通孔５８ｂ（図９参照）に挿入され、作動軸４７が前記内枠体２０の開口孔２０ａ内の操作軸４０ａ（図１２参照）と連動可能に連結される。これとともに、前記下前板部材５８に形成された取付孔（図示省略）に対し前記クリップ部４６ｃが弾性変形を利用して係着されることによって、該下前板部材５８に固定状に装着される（図１、図５及び図９参照）。
さらに、両ハンドル部４５，４６の指置き部４５ａ，４６ａの先端部は、前記下前板部材５８に形成された凹部５８ｄに対して嵌合されている（図２７及び図３１参照）。
【００８５】
上記した操作ハンドル４４によると、操作ハンドル４４を握る遊技者が、指置き部４５ａ，４６ａに親指を置くことができるので、遊技者の疲労を軽減することができる。さらに、両ハンドル部４５，４６の指置き部４５ａ，４６ａの先端部が、下前板部材５８の凹部５８ｄに嵌合されている（図２７及び図３１参照）。このため、操作ハンドル４４の指置き部４５ａ，４６ａを強固に支持することができる。
【００８６】
また、例えば、下前板部材５８に取り付けられる操作ハンドル４４にバイブレータ４９が組込まれた操作ハンドル４４と、バイブレータ４９を省いた操作ハンドル４４とを用意しておけば、操作ハンドル４４のみの小変更で、バイブレータ付きあるいは無しの操作ハンドル４４を容易に選択することができる。また、仮に操作ハンドル４４あるいはバイブレータ４９の故障時等には、操作ハンドル４４の交換のみでよいため、部品交換を簡単に行うことができる。
【００８７】
上記したパチンコ機１によると、遊技者に面する前面側における遊技領域視認窓８０ａの周囲に、前方へ突出された左側の装飾部１００及び右側の装飾部１１０並びにトップレンズ１２３が設けられている（図２０参照）。これによって、立体的な装飾効果が得られる。このため、パチンコ機１の意匠的なインパクトを高めることができる。
さらに、左側の装飾部１００及び右側の装飾部１１０並びにトップレンズ１２３は、それぞれその稜線部１００ｒ，１１０ｒ，１２３ｒが突出高さ方向及び幅方向に関して波状で、かつ互いに非類似の形状に形成されている（図２１参照）。これにより、左側の装飾部１００及び右側の装飾部１１０並びにトップレンズ１２３の稜線部１００ｒ，１１０ｒ，１２３ｒが、それぞれ突出高さ方向の高低及び幅方向のずれ幅の変化した経路で、かつ互いに非類似の形態を呈することにより、遊技者に与える圧迫感や閉塞感等を軽減することができる。よって、遊技者は、快適にかつ継続的に遊技を楽しむことができる。なお、各稜線部１００ｒ，１１０ｒ，１２３ｒは、それぞれ突出高さ方向及び幅方向のうち少なくとも一方向に関して不規則あるいは規則的な波状に形成されたものであればよい。
また、前方へ突出された左側の装飾部１００及び右側の装飾部１１０並びにトップレンズ１２３によって、開閉扉８０の強度を向上することができる。
【００８８】
また、遊技者に面する前面側における遊技領域視認窓８０ａの左右両側部に、前方へ突出された左側の装飾部１００及び右側の装飾部１１０が設けられている（図２０参照）。これによって、立体的な装飾効果が得られるので、パチンコ機１の意匠的なインパクトを高めることができる。
さらに、左側の装飾部１００及び右側の装飾部１１０は、それぞれの縦方向に延びる稜線部１００ｒ，１１０ｒが突出高さ方向及び幅方向に関して波状で、かつ互いに左右非対称の形状に形成されている（図２１参照）。これにより、左側の装飾部１００及び右側の装飾部１１０の稜線部１００ｒ，１１０ｒが、それぞれ突出高さ方向の高低及び幅方向（左右方向）のずれ幅の変化した経路で、かつ互いに非類似の形態を呈することにより、遊技者に与える圧迫感や閉塞感等を軽減することができる。よって、遊技者は、快適にかつ継続的に遊技を楽しむことができる。
また、前記左側の装飾部１００及び前記右側の装飾部１１０によれば、遊技者の横方向（左右方向）に関する視認角度の変化に応じて、フォルムが大きく変化した印象を与えることができる。
【００８９】
また、前にも述べたように、複数のパチンコ機１を左右に並べたホール等において、左右に隣り合うパチンコ機１のうち左側のパチンコ機１における右側の装飾部１１０の稜線部１１０ｒと、右側のパチンコ機１における左側の装飾部１００の稜線部１００ｒとが、互いに連続状をなすことになる（図３２参照）。したがって、左右に隣り合うパチンコ機１が互いに関係付けられた意匠をもって連続されることにより、従来に比べ、斬新で特異な景観を呈することができる。詳しくは、従来は左右対称状のデザインのパチンコ機１であったので、ホール等にパチンコ機１を並べた際に単調な印象が感じられた。しかし、本実施の形態によれば、左右に隣り合うパチンコ機１の協働によって繰り返し変化する連続パターンの意匠を表現することができるため、島の印象を向上することができる。
また、左側のパチンコ機１における右側の装飾部１１０の稜線部１１０ｒと、右側のパチンコ機１における左側の装飾部１００の稜線部１００ｒとは、上記実施の形態で述べたように上下両端部において互いに連続状をなすように形成する他、上端部のみあるいは下端部のみを互いに連続状をなすように形成してもよい。
【００９０】
また、左側の装飾部１００に含まれる左側レンズ１０２ａ，１０２ｂ，１０２ｃが、ランプ１０６から発せられる光によって発光される。これにより、左側レンズ１０２ａ，１０２ｂ，１０２ｃを含んで形成された左側の装飾部１００の装飾性を向上することができる。
また、右側の装飾部１１０に含まれる右側レンズ１１２ａ，１１２ｂ，１１２ｃが、ランプ１１６から発せられる光によって発光される。これにより、右側レンズ１１２ａ，１１２ｂ，１１２ｃを含んで形成された右側の装飾部１１０の装飾性を向上することができる。
また、上側の飾り部１２０のトップレンズ１２３が、ランプ１２６から発せられる光によって発光される（図２４参照）。これにより、トップレンズ１２３自体により形成された上側の装飾部（トップレンズと同一符号を付す）１２３の装飾性を向上することができる。なお、左側の装飾部１００又は右側の装飾部１１０を、トップレンズ１２３と同様の構成をもって構成することができる。
【００９１】
また、左側の装飾部１００のベース部材１００ａが非透光性材料によって形成されているため、該ベース部材１００ａ（図２１参照）がホール内の照明、外光等の外部照明によって照らし出される。したがって、当該装飾部１００に対する視認角度の変化に応じて、外部照明によるベース部材１００ａの照明具合が変化することを利用して、遊技者やホール往来者に前記ベース部材１００ａのフォルムが大きく変化した印象を与えることができる。さらに、非透光性材料により形成されたベース部材１００ａの稜線部１００ｒの付近においては、その稜線部１００ｒを含む左側レンズ１０２ａ、１０２ｂ，１０２ｃがランプ１０６から発せられる光によって発光される（図２２参照）。これにより、左側レンズ１０２ａ、１０２ｂ，１０２ｃを備えた左側の装飾部１００の装飾性を向上するとともに、その装飾部１００の稜線部１００ｒを際立たせることができる。
【００９２】
また、右側の装飾部１１０のベース部材１１０ａが非透光性材料によって形成されているため、該ベース部材１１０ａ（図２１参照）がホール内の照明、外光等の外部照明によって照らし出される。したがって、当該装飾部１１０に対する視認角度の変化に応じて、外部照明によるベース部材１１０ａの照明具合が変化することを利用して、遊技者やホール往来者に前記ベース部材１１０ａのフォルムが大きく変化した印象を与えることができる。さらに、非透光性材料により形成されたベース部材１１０ａの稜線部１１０ｒの付近においては、その稜線部１１０ｒを含む右側レンズ１１２ａ，１１２ｂ，１１２ｃがランプ１１６から発せられる光によって発光される（図２２参照）。これにより、右側レンズ１１２ａ，１１２ｂ，１１２ｃを備えた右側の装飾部１１０の装飾性を向上するとともに、その装飾部１１０の稜線部１１０ｒを際立たせることができる。
なお、トップレンズ１２３を、左側の装飾部１００や右側の装飾部１１０と同様の構成をもって構成することができる。
【００９３】
また、左側レンズ１０２ａ，１０２ｂ，１０２ｃは、左側の装飾部１００の稜線部１００ｒに沿って延びかつ長さ方向（縦方向）に関して複数（本実施の形態では３個を示す）に分割されている（図２１参照）。したがって、左側レンズが長尺状をなす一連の一体成形品とされる場合に比べて、分割された左側レンズ１０２ａ，１０２ｂ，１０２ｃの強度や成形性を向上することができる。
また、上下に隣り合う左側レンズ１０２ａ，１０２ｂ，１０２ｃが僅かな隙間を隔てて配置されているので、分割された左側レンズ１０２ａ，１０２ｂ，１０２ｃによって装飾性がほとんど損なわれない。
【００９４】
また、右側レンズ１１２ａ，１１２ｂ，１１２ｃは、右側の装飾部１１０の稜線部１１０ｒに沿って延びかつ長さ方向（縦方向）に関して複数（本実施の形態では３個を示す）に分割されている（図２１参照）。したがって、右側レンズが長尺状をなす一連の一体成形品とされる場合に比べて、分割された右側レンズ１１２ａ，１１２ｂ，１１２ｃの強度や成形性を向上することができる。
また、上下に隣り合う右側レンズ１１２ａ，１１２ｂ、１１２ｂ，１１２ｃが僅かな隙間を隔てて配置されているので、分割された右側レンズ１１２ａ，１１２ｂ，１１２ｃによって装飾性がほとんど損なわれない。
【００９５】
また、左右の装飾部１００，１１０を有する開閉扉８０の遊技領域視認窓８０ａが、各装飾部１００，１１０の稜線部１００ｒ，１１０ｒの幅方向の波状に倣う曲線部９６ａ−ｂ−ｃ，９６ｅ−ｆ−ｈを含む輪郭形状９６で形成されている（図２１参照）。したがって、遊技領域視認窓８０ａの輪郭形状９６が、各装飾部１００，１１０の稜線部１００ｒ，１１０ｒの幅方向の波状に倣う曲線部９６ａ−ｂ−ｃ，９６ｅ−ｆ−ｈを含んだ斬新で特異な形状を呈することができる。
【００９６】
また、左右の装飾部１００，１１０を有する開閉扉８０の遊技領域視認窓８０ａには、輪郭形状９６に沿った反射面９１ａ，９１ｂを有するモール９１が配置されている（図２１参照）。したがって、遊技領域視認窓８０ａの輪郭形状９６に沿った反射面９１ａ，９１ｂを有するモール９１によって、遊技領域視認窓８０ａの斬新で特異な輪郭形状９６を一層際立たせることができる。ひいては、パチンコ機１の遊技の興趣を高めることが可能である。
【００９７】
また、モール９１は、遊技領域視認窓８０ａの内周側前方に指向する内向き反射面９１ａと、前記遊技領域視認窓８０ａの外周側前方に指向する外向き反射面９１ｂとを有している（図２１参照）。したがって、モール９１が有する内向き反射面９１ａによって、主に遊技領域６３を遊技者に向けて反射するすなわち映し出すことにより、遊技者に遊技領域６３を広く見せることができる。また、モール９１が有する外向き反射面９１ｂによって、主に遊技領域視認窓８０ａの周囲の装飾面をホール往来者に向けて反射するすなわち映し出すことにより、パチンコ機１の装飾性を高めることができる。
【００９８】
本発明は前記実施の形態に限定されるものではなく、本発明の要旨を逸脱しない範囲における変更が可能である。例えば、本発明は、パチンコ機１以外の遊技機、例えば、アレンジボール機、スロットマシン、パチンコ球を使用してスロットマシンと同様の遊技を行う遊技機等適用することも可能である。また、本発明は、左側の装飾部１００、右側の装飾部１１０、上側の装飾部（トップレンズ）１２３のうち、少なくとも２つの装飾部に実施することができる。また、本発明は、下側の飾り部１３０に対しても左右の装飾部１００，１１０あるいは上側の飾り部１２０と同様に実施することができる。また、左側の装飾部１００を全般的に非透光性材料によって形成し、左側レンズ１０２ａ，１０２ｂ，１０２ｃを省略してもよい。また、右側の装飾部１１０を全般的に非透光性材料によって形成し、左側レンズ１１２ａ，１１２ｂ，１１２ｃを省略してもよい。また、トップレンズ１２３を全般的に非透光性材料によって形成してもよい。また、内部光源であるランプ１０６，１１６，１２６は省略することができる。また、左側レンズ１０２ａ，１０２ｂ，１０２ｃは、複数に分割された状態で配置するものに限らず、一連の一体成形品で形成することができる。また、右側レンズ１１２ａ，１１２ｂ，１１２ｃは、複数に分割された状態で配置するものに限らず、一連の一体成形品で形成することができる。また、遊技領域視認窓８０ａの輪郭形状９６は、適宜選定することができる。また、遊技領域視認窓８０ａに配置したモール９１は省略することができる。また、モール９１の反射面９１ａ，９１ｂは、一方あるいは両方を省略することができる。
【００９９】
また、上記実施の形態では、遊技盤装着枠部２１に対し遊技盤６を後方から着脱可能に嵌め込んだ状態で支持したが、これとは逆に、遊技盤装着枠部２１に対し遊技盤６を前方から着脱可能に嵌め込んだ状態で支持してもよい。この場合、遊技盤装着枠部２１の係止部は、例えば、ベース板６０に設けたロックレバー６５とほぼ同様の回動式の係止部とすることが考えられる。すなわち、遊技盤６を嵌め込むときはその嵌め込みを可能とする格納位置に係止部を位置させておき、遊技盤６を嵌め込んだ後で係止部をロック位置に回動させることによって該係止部をベース板６０の当該側縁部に係合させて遊技盤６を固定する。また、透視板装着枠８３に支持される透視板８４の枚数は、１枚あるいは３枚以上でもよい。また、内枠体２０に遊技盤装着枠部２１を一体形成したが、内枠体２０の主体部分とは別体で形成した遊技盤装着枠部２１をその主体部分に一体化してもよい。また、左側係止部２７又は右側係止部２８の一方は、上下方向に連続的に形成することができる。また、上下の左側係止部２７のどちらか一方は省略することができる。また、上下の右側係止部２８のどちらか一方は省略することができる。また、左側係止部２７又は右側係止部２８の縦方向長さは、適宜変更することができる。
【０１００】
また、遊技盤６のベース板６０には、金属製のレール材（６１Ａ，６１Ｃ）と樹脂製の囲繞部（囲繞部材６９）とにより区画壁６１を構成したが、金属製等のレール材のみによって区画壁を構成してもよい。この場合、囲繞部（囲繞部材６８，６９）は省略することが可能である。また、樹脂製の囲繞部のみによって区画壁を構成することもできる。また、ベース板６０と囲繞部を樹脂成形によって一体形成することができる。この場合、囲繞部には、係止部２７，２８を受入可能でかつ該係止部２７，２８が当接する規制面を形成する受入凹部を形成することができる。このとき、規制面は、ベース板の前面に相当する位置、すなわち基本的強度を確保するベース板部の前面に形成する。また、囲繞部（囲繞部材６８，６９）には、その前面側にレンズを組込みかつランプを内蔵することによって装飾性をもたせたり、その前面側に凹凸面、色彩等のパネル飾りを付して装飾をもたせることができる。
【０１０１】
【発明の効果】
以上述べたように、本発明の遊技機によれば、意匠的なインパクトを高めながらも、遊技者に与える圧迫感や閉塞感等を軽減することができる。
【図面の簡単な説明】
【図１】本発明の実施の形態１にかかるパチンコ機を開閉扉の開放状態で示す斜視図である。
【図２】開閉扉を省いたパチンコ機を上皿部材の開放状態で示す斜視図である。
【図３】パチンコ機を内枠体の開放状態で示す斜視図である。
【図４】パチンコ機の正面図である。
【図５】パチンコ機の右側面図である。
【図６】パチンコ機の後面図である。
【図７】図４のＶＩＩ−ＶＩＩ線断面図である。
【図８】図４のＶＩＩＩ−ＶＩＩＩ線断面図である。
【図９】図４のＩＸ−ＩＸ線断面図である。
【図１０】図４のＸ−Ｘ線断面図である。
【図１１】図４のＸＩ−ＸＩ線断面図である。
【図１２】内枠体を示す斜視図である。
【図１３】内枠体を示す正面図である。
【図１４】内枠体を示す後面図である。
【図１５】図１３のＸＶ−ＸＶ線断面図である。
【図１６】図１３のＸＶＩ−ＸＶＩ線断面図である。
【図１７】機構盤を示す斜視図である。
【図１８】遊技盤を示す正面図である。
【図１９】遊技盤を示す右側面図である。
【図２０】開閉扉を示す斜視図である。
【図２１】開閉扉を示す正面図である。
【図２２】図２１のＸＸＩＩ−ＸＸＩＩ線断面図である。
【図２３】図２１のＸＸＩＩＩ−ＸＸＩＩＩ線断面図である。
【図２４】図２１のＸＸＩＶ−ＸＸＩＶ線断面図である。
【図２５】トップレンズを示す斜視図である。
【図２６】図２５のＸＸＶＩ−ＸＸＶＩ線断面図である。
【図２７】ハンドルを示す斜視図である。
【図２８】ハンドルを示す正面図である。
【図２９】ハンドルを示す平面図である。
【図３０】図２８のＸＸＸ−ＸＸＸ線断面図である。
【図３１】図４のＸＸＸＩ−ＸＸＸＩ線断面図である。
【図３２】遊技盤の配列状態を示す正面図である。
【符号の説明】
１　パチンコ機（遊技機）
６　遊技盤
６３　遊技領域
８０　開閉扉
８０ａ　遊技領域視認窓
９０　扉装飾体
９１　モール
９１ａ　内向き反射面
９１ｂ　外向き反射面
９６　輪郭形状
１００　左側の飾り部（装飾部）
１００ａ　ベース部材
１００ｒ　稜線部
１０２ａ　左側レンズ（レンズ部材）
１０２ｂ　左側レンズ（レンズ部材）
１０２ｃ　左側レンズ（レンズ部材）
１０６　ランプ（内部光源）
１１０　右側の飾り部（装飾部）
１１０ａ　ベース部材
１１０ｒ　稜線部
１１２ａ　右側レンズ（レンズ部材）
１１２ｂ　右側レンズ（レンズ部材）
１１２ｃ　右側レンズ（レンズ部材）
１１６　ランプ（内部光源）
１２０　上側の飾り部
１２３　トップレンズ（装飾部、レンズ部材）
１２３ｒ　稜線部
１２６　ランプ（内部光源）
【図１】
2004065923.tif 000003
【図２】
2004065923.tif 000004
【図３】
2004065923.tif 000005
【図４】
2004065923.tif 000006
【図５】
2004065923.tif 000007
【図６】
2004065923.tif 000008
【図７】
2004065923.tif 000009
【図８】
2004065923.tif 000010
【図９】
2004065923.tif 000011
【図１０】
2004065923.tif 000012
【図１１】
2004065923.tif 000013
【図１２】
2004065923.tif 000014
【図１３】
2004065923.tif 000015
【図１４】
2004065923.tif 000016
【図１５】
2004065923.tif 000017
【図１６】
2004065923.tif 000018
【図１７】
2004065923.tif 000019
【図１８】
2004065923.tif 000020
【図１９】
2004065923.tif 000021
【図２０】
2004065923.tif 000022
【図２１】
2004065923.tif 000023
【図２２】
2004065923.tif 000024
【図２３】
2004065923.tif 000025
【図２４】
2004065923.tif 000026
【図２５】
2004065923.tif 000027
【図２６】
2004065923.tif 000028
【図２７】
2004065923.tif 000029
【図２８】
2004065923.tif 000030
【図２９】
2004065923.tif 000031
【図３０】
2004065923.tif 000032
【図３１】
2004065923.tif 000033
【図３２】
2004065923.tif 000034